(57)【要約】      （修正有）【課題】歯磨き具を容易に取り出すことができる歯磨き具収容体を提供する。【解決手段】歯磨き具収容体１は、複数の歯磨き具１０、複数の袋体２０、及び箱体３０を備えている。歯磨き具１０は、紙軸によって構成された柄部と、柄部の一端側に設けられた、歯を磨くための歯磨き部とを有している。歯磨き部は、紙軸の一端部が複数の線条に分岐してなる。各歯磨き具１０は、袋体２０で包装されている。複数の袋体２０は、一連に連設されている。複数の袋体２０で包装された複数の歯磨き具１０は、箱体３０に収容されている。箱体３０は、袋体２０で包装された各歯磨き具１０を箱体３０から取り出すための取出口３２を有している。【選択図】図１
2018034901.tif 000002
【特許請求の範囲】
【請求項１】
紙軸によって構成された柄部と、前記柄部の一端側に設けられた、歯を磨くための第１の歯磨き部とを有する複数の歯磨き具と、
前記各歯磨き具を包装する、一連に連設された複数の袋体と、
前記複数の袋体で包装された前記複数の歯磨き具を収容するとともに、当該各歯磨き具を取り出すための取出口を有する箱体と、を備え、
前記第１の歯磨き部は、前記紙軸の一端部が複数の第１の線条に分岐してなることを特徴とする歯磨き具収容体。
【請求項２】
請求項１に記載の歯磨き具収容体において、
前記第１の歯磨き部を構成する、前記紙軸の前記一端部は、複数箇所が切断されることにより前記複数の第１の線条に分岐している歯磨き具収容体。
【請求項３】
請求項１又は２に記載の歯磨き具収容体において、
前記第１の歯磨き部には、口腔用の薬剤が含浸又は付着している歯磨き具収容体。
【請求項４】
請求項３に記載の歯磨き具収容体において、
前記各袋体には、前記柄部を包む空間とは別に、前記第１の歯磨き部を包む空間が設けられている歯磨き具収容体。
【請求項５】
請求項１乃至４の何れかに記載の歯磨き具収容体において、
前記各歯磨き具は、前記柄部の他端側に設けられた、歯を磨くための第２の歯磨き部を有し、
前記第２の歯磨き部は、前記紙軸の他端部が複数の第２の線条に分岐してなる歯磨き具収容体。
【請求項６】
請求項５に記載の歯磨き具収容体において、
前記第２の歯磨き部を構成する、前記紙軸の前記他端部は、複数箇所が切断されることにより前記複数の第２の線条に分岐している歯磨き具収容体。
【請求項７】
請求項５又は６に記載の歯磨き具収容体において、
前記第２の歯磨き部には、口腔用の薬剤が含浸又は付着している歯磨き具収容体。
【請求項８】
請求項７に記載の歯磨き具収容体において、
前記各袋体には、前記柄部を包む空間とは別に、前記第２の歯磨き部を包む空間が設けられている歯磨き具収容体。
【請求項９】
請求項５乃至８の何れかに記載の歯磨き具収容体において、
前記各第２の線条の長さは、前記各第１の線条の長さよりも小さい歯磨き具収容体。
【請求項１０】
請求項５乃至９の何れかに記載の歯磨き具収容体において、
前記複数の第１の線状の本数と前記複数の第２の線状の本数とは、互いに異なる歯磨き具収容体。
【請求項１１】
請求項１乃至４の何れかに記載の歯磨き具収容体において、
前記紙軸の他端部は、歯間に挿入可能である歯磨き具収容体。
【請求項１２】
請求項１１に記載の歯磨き具収容体において、
前記紙軸の前記他端部は、先細りの形状をしている歯磨き具収容体。
【請求項１３】
請求項１１又は１２に記載の歯磨き具収容体において、
前記紙軸の前記他端部は、粗面化されている歯磨き具収容体。
【請求項１４】
請求項１乃至１３の何れかに記載の歯磨き具収容体において、
前記紙軸は、防水性又は撥水性を有する歯磨き具収容体。
【請求項１５】
請求項１乃至１４の何れかに記載の歯磨き具収容体において、
前記複数の袋体のうち隣接する２つの袋体の境界には、切取線が設けられている歯磨き具収容体。
【請求項１６】
請求項１５に記載の歯磨き具収容体において、
前記切取線は、ミシン目である歯磨き具収容体。
【請求項１７】
請求項１乃至１６の何れかに記載の歯磨き具収容体において、
前記各袋体は、平面視で長方形をしており、
前記複数の袋体のうち隣接する２つの袋体は、当該袋体の長辺どうしが接続されている歯磨き具収容体。
【請求項１８】
請求項１乃至１７の何れかに記載の歯磨き具収容体において、
前記取出口は、１本の前記歯磨き具を通過させる一方で、２本以上の前記歯磨き具を同時に通過させない歯磨き具収容体。
【請求項１９】
請求項１乃至１８の何れかに記載の歯磨き具収容体において、
前記取出口の幅は、前記各歯磨き具の前記柄部の太さよりも小さい歯磨き具収容体。
【請求項２０】
請求項１乃至１９の何れかに記載の歯磨き具収容体において、
前記取出口は、一直線状をしている歯磨き具収容体。
【請求項２１】
請求項２０に記載の歯磨き具収容体において、
前記箱体には、前記取出口に沿って予め切目が入っている歯磨き具収容体。
【請求項２２】
請求項２０に記載の歯磨き具収容体において、
前記箱体には、前記取出口に沿ってミシン目が形成されている歯磨き具収容体。
【請求項２３】
請求項１乃至２２の何れかに記載の歯磨き具収容体において、
前記箱体には、前記取出口の外に出た前記歯磨き具が包装された前記袋体を、当該袋体に隣接する前記袋体から切り離すための刃が設けられている歯磨き具収容体。
【請求項２４】
請求項２３に記載の歯磨き具収容体において、
前記刃は、前記取出口の延在方向と平行に延在している歯磨き具収容体。
【請求項２５】
請求項２３又は２４に記載の歯磨き具収容体において、
前記刃は、前記取出口から離れた位置に設けられている歯磨き具収容体。
【発明の詳細な説明】
【技術分野】
【０００１】
本発明は、複数の歯磨き具が収容された歯磨き具収容体に関する。
【背景技術】
【０００２】
従来の歯磨き具としては、例えば特許文献１に記載されたものがある。同文献に記載された歯磨き具は、紙軸によって構成された柄部と、柄部の一端側に設けられた歯磨き部とを備えている。歯磨き部は、歯を磨くための部分である。歯磨き部は、柄部を構成する紙軸の一端部が複数の線状に分岐してなる。
【先行技術文献】
【特許文献】
【０００３】
【特許文献１】特開２０１７−１７０１９６号公報
【発明の概要】
【発明が解決しようとする課題】
【０００４】
上述の歯磨き具は、使い捨てされることが想定されており、頻繁に新しいものと交換する必要がある。そのため、複数の歯磨き具が１つのパッケージに収容された形で販売されることが好ましい。そのように複数の歯磨き具が収容された歯磨き具収容体においては、ユーザの利便性の観点から、各歯磨き具を取り出しやすいことが重要となる。
【０００５】
本発明は、上記課題に鑑みてなされたものであり、歯磨き具を容易に取り出すことができる歯磨き具収容体を提供することを目的とする。
【課題を解決するための手段】
【０００６】
本発明による歯磨き具収容体は、紙軸によって構成された柄部と、上記柄部の一端側に設けられた、歯を磨くための第１の歯磨き部とを有する複数の歯磨き具と、上記各歯磨き具を包装する、一連に連設された複数の袋体と、上記複数の袋体で包装された上記複数の歯磨き具を収容するとともに、当該各歯磨き具を取り出すための取出口を有する箱体と、を備え、上記第１の歯磨き部は、上記紙軸の一端部が複数の第１の線条に分岐してなることを特徴とする。
【０００７】
この歯磨き具収容体においては、複数の歯磨き具が、１本ずつ袋体で包装された状態で、箱体に収容されている。そして、複数の袋体は、一連に連設されている。このため、取出口を通じて箱体から１本の歯磨き具を取り出す際、当該歯磨き具に続けて次の歯磨き具も取出口の外に引き出すことができる。これにより、次の歯磨き具の取出しが容易となる。
【発明の効果】
【０００８】
本発明によれば、歯磨き具を容易に取り出すことができる歯磨き具収容体が実現される。
【図面の簡単な説明】
【０００９】
【図１】本発明による歯磨き具収容体の一実施形態を示す斜視図である。
【図２】袋体２０を示す平面図である。
【図３】渦巻状に丸められた状態の袋体２０を示す模式図である。
【図４】歯磨き具１０を示す平面図である。
【図５】歯磨き具収容体１の使用方法の一例を説明するための図である。
【図６】歯磨き具収容体１の使用方法の一例を説明するための図である。
【図７】袋体２０の変形例を説明するための図である。
【図８】歯磨き具１０の変形例を説明するための図である。
【図９】箱体３０の変形例を説明するための図である。
【図１０】箱体３０の変形例を説明するための図である。
【発明を実施するための形態】
【００１０】
以下、図面を参照しつつ、本発明の実施形態について詳細に説明する。なお、図面の説明においては、同一要素には同一符号を付し、重複する説明を省略する。
【００１１】
図１は、本発明による歯磨き具収容体の一実施形態を示す斜視図である。歯磨き具収容体１は、複数の歯磨き具１０、複数の袋体２０、及び箱体３０を備えている。以下の記述において「複数の歯磨き具１０」は、別段の断りがない限り、歯磨き具収容体１に設けられた全ての歯磨き具１０を指すものとする。「複数の袋体２０」についても、同様である。各歯磨き具１０は、袋体２０で包装されている。すなわち、歯磨き具１０は、袋体２０で個包装されている。それゆえ、袋体２０の個数は、歯磨き具１０の個数に等しい。複数の袋体２０で包装された複数の歯磨き具１０は、箱体３０に収容されている。
【００１２】
図２は、袋体２０を示す平面図である。各袋体２０は、平面視で長方形をしている。各袋体２０の上下方向（長辺方向）の長さｄ１は、例えば、５〜１０ｃｍである。また、各袋体２０の左右方向（短辺方向）の長さｄ２は、例えば、５〜１０ｍｍである。複数の袋体２０は、一連に連設されている。すなわち、複数の袋体２０は、互いに重なることなく１列に並ぶように連設されている。複数の袋体２０は、その左右方向に並んでいる。
【００１３】
複数の袋体２０のうち隣接する２つの袋体２０は、互いに接続されている。詳細には、隣接する２つの袋体２０は、当該袋体２０の長辺どうしが接続されている。また、隣接する２つの袋体２０の境界には、切取線２２が設けられている。切取線２２は、隣接する２つの袋体２０を当該切取線２２に沿って手で容易に切り離せるようにするために設けられている。切取線２２は、例えばミシン目である。
【００１４】
このように一連に連設された複数の袋体２０は、例えば、２枚のシートを用いて次のように形成することができる。ます、複数の歯磨き具１０を挟むようにして２枚のシートを重ね合わせる。続いて、各歯磨き具１０を隔離するように、両シートの一部分（周縁部、及び隣り合う２本の歯磨き具１０の間に位置する部分）どうしをシールする。これにより、複数の袋体２０が同時に形成される。その後、隣接する２つの袋体２０の境界（両シートがシールされた部分）上に切取線２２を形成することにより、図２に示した複数の袋体２０が得られる。袋体２０の材料としては、例えばプラスチックを用いることができる。図３に示すように、複数の袋体２０は、渦巻状に丸められた状態で箱体３０に収容されている。同図は、複数の袋体２０をその上下方向から見た図である。
【００１５】
図４は、歯磨き具１０を示す平面図である。歯磨き具１０は、柄部１２、歯磨き部１４（第１の歯磨き部）、及び歯磨き部１６（第２の歯磨き部）を有している。柄部１２は、歯磨き具１０のユーザが手で持つ部分である。柄部１２は、丸棒状をしている。柄部１２の長さｄ３は、例えば、４〜８ｃｍである。柄部１２の太さｄ４（直径）は、例えば、１〜４ｍｍである。各歯磨き具１０は、柄部１２の長さ方向が袋体２０の上下方向と略一致するように、袋体２０で包装されている。柄部１２は、紙軸４０によって構成されている。紙軸４０は、１枚の矩形状の紙シートを丸めて棒状にしたものである。紙軸４０は、防水性又は撥水性を有することが好ましい。
【００１６】
歯磨き部１４は、歯を磨くための部分であり、柄部１２の一端側に設けられている。歯磨き部１４は、紙軸４０の一端部４２が複数の線条１５（第１の線条）に分岐してなる。本実施形態において紙軸４０の一端部４２は、複数箇所が切断されることにより複数の線条１５に分岐している。歯磨き部１４は、１０本以上の線条１５からなることが好ましく、３０本以上の線条１５からなることがより好ましい。各線条１５は、上記紙シートの一部である細長い紙片によって構成されている。各線条１５を構成する紙片は、柄部１２と連続している。各線条１５の長さｄ５（一端部４２の長さ）は、３ｍｍ以上１５ｍｍ以下であることが好ましく、８ｍｍ以上１２ｍｍ以下であることがより好ましい。
【００１７】
歯磨き部１６は、歯を磨くための部分であり、柄部１２の他端側に設けられている。歯磨き部１６は、紙軸４０の他端部４４が複数の線条１７（第２の線条）に分岐してなる。本実施形態において紙軸４０の他端部４４は、複数箇所が切断されることにより複数の線条１７に分岐している。歯磨き部１６は、１０本以上の線条１７からなることが好ましく、３０本以上の線条１７からなることがより好ましい。各線条１７は、上記紙シートの一部である細長い紙片によって構成されている。各線条１７を構成する紙片は、柄部１２と連続している。各線条１７の長さｄ６（他端部４４の長さ）は、３ｍｍ以上１５ｍｍ以下であることが好ましく、３ｍｍ以上５ｍｍ以下であることがより好ましい。本実施形態において各線条１７の長さは、各線条１５の長さよりも小さい。複数の線条１５の本数と複数の線条１７の本数とは、互いに等しくてもよいし、互いに異なっていてもよい。
【００１８】
各歯磨き部１４，１６には、口腔用の薬剤（例えば歯磨き）が予め含浸又は付着していてもよい。かかる薬剤としては、例えば、歯磨き、デンタルリンス等が挙げられる。薬剤は、液体状、ペースト状、ジェル状、粉末状の何れであってもよい。ただし、手で持つ部分（柄部１２）に薬剤が付着しにくくする観点からは、薬剤は、ペースト状、ジェル状又は粉末状であることが好ましい。
【００１９】
図１に戻って、箱体３０は、直方体の形状をしている。箱体３０の高さｄ７は、例えば、５〜１０ｃｍである。また、箱体３０の幅ｄ８及び奥行きｄ９は、例えば、３〜１２ｃｍである。複数の袋体２０は、各袋体２０の上下方向が箱体３０の高さ方向と略一致するように、箱体３０に収容されている。
【００２０】
箱体３０は、取出口３２を有している。取出口３２は、袋体２０で包装された各歯磨き具１０を箱体３０から取り出すために設けられている。取出口３２は、箱体３０を構成する６つの面のうちの１つの面３０ａに設けられている。取出口３２は、１本の歯磨き具１０を通過させる一方で、２本以上の歯磨き具１０を同時に通過させない。取出口３２の幅は、各歯磨き具１０の柄部１２の太さｄ４よりも小さい。本実施形態において取出口３２は、一直線状をしている。取出口３２は、箱体３０の高さ方向に延在している。また、取出口３２は、箱体３０の高さ方向について面３０ａの略全体にわたって設けられている。箱体３０には、取出口３２に沿って予め切目が入っていてもよいし、取出口３２に沿ってミシン目が形成されていてもよい。後者の場合、使用開始時にミシン目を切り開くことにより、取出口３２に沿って切目が生じることになる。箱体３０の材料としては、例えば紙を用いることができる。
【００２１】
図５及び図６を参照しつつ、歯磨き具収容体１の使用方法の一例を説明する。図５及び図６は、箱体３０をその幅方向から見た図である。まず、図５に示すように、複数の袋体２０の一端（左端又は右端）を引っ張って、少なくとも１本の歯磨き具１０が取出口３２の外に出るようにする。次に、図６に示すように、切取線２２に沿って１つの袋体２０を隣接する袋体２０から切り離す。このようにして、袋体２０で包装された歯磨き具１０を箱体３０から１本ずつ取り出すことができる。その後、袋体２０を開封して歯磨き具１０を袋体２０からも取り出す。そして、歯磨き具１０の歯磨き部１４又は歯磨き部１６で歯を擦ることにより、歯を磨くことができる。
【００２２】
歯磨き具収容体１の効果を説明する。歯磨き具収容体１においては、複数の歯磨き具１０が、１本ずつ袋体２０で包装された状態で、箱体３０に収容されている。そして、複数の袋体２０は、一連に連設されている。このため、取出口３２を通じて箱体３０から１本の歯磨き具１０を取り出す際、当該歯磨き具１０に続けて次の歯磨き具１０（隣りに位置する歯磨き具１０）も取出口３２の外に引き出すことができる。これにより、次の歯磨き具１０の取出しが容易となる。したがって、歯磨き具１０を容易に取り出すことができる歯磨き具収容体１が実現されている。
【００２３】
また、歯磨き具１０が袋体２０で個包装されているため、衛生的である。さらに、歯磨き部１４は、柄部１２を構成する紙軸４０の一端部４２が複数に分岐してなる。すなわち、柄部１２及び歯磨き部１４は、同一の紙軸４０によって構成されている。かかる構成の歯磨き具１０は、製造時に、柄部１２に対して歯磨き部１４を取り付ける工程を行う必要がない。このため、かかる取付工程が必要な場合に比して、製造工程を簡略化することができる。
【００２４】
歯磨き部１４は、紙製の複数の線条１５からなるため柔らかい。それゆえ、歯磨き部１４で歯を磨く際、歯や歯肉を傷つけにくいという利点がある。
【００２５】
歯磨き部１４を構成する線条１５の本数を多くすることは、歯の広範囲を同時に磨くのに有利である。かかる観点から、歯磨き部１４は、１０本以上の線条１５からなることが好ましく、３０本以上の線条１５からなることがより好ましい。
【００２６】
歯磨き部１４を構成する、紙軸４０の一端部４２は、複数箇所が切断されることにより複数の線条１５に分岐している。これにより、１箇所のみが切断される場合に比して、より多くの線条１５からなる歯磨き部１４を得ることができる。
【００２７】
この点、紙軸４０は、紙シートが幾重にも重なった構造を有する。それゆえ、紙軸４０の一端部４２を切断した場合、１回の切断で多数の線条１５を得ることができる。このため、紙軸４０を用いることにより、多数の線条１５からなる歯磨き部１４を効率良く形成することができる。
【００２８】
歯磨き部１４に口腔用の薬剤が含浸又は付着している場合、薬剤を別途用意しなくても、歯磨き部１４に薬剤が含浸等した状態で歯を磨くことができる。
【００２９】
歯磨き具１０には、歯磨き部１４に加えて歯磨き部１６も設けられている。これにより、複数の歯磨き部１４，１６を適宜使い分けることができるため、歯磨き具１０の利便性が向上する。
【００３０】
歯磨き部１６は、柄部１２を構成する紙軸４０の他端部４４が複数に分岐してなる。すなわち、柄部１２及び歯磨き部１６は、同一の紙軸４０によって構成されている。このため、製造時に、柄部１２に対して歯磨き部１６を取り付ける工程も行う必要がない。
【００３１】
歯磨き部１６は、紙製の複数の線条１７からなるため柔らかい。それゆえ、歯磨き部１６で歯を磨く際、歯や歯肉を傷つけにくいという利点がある。
【００３２】
歯磨き部１６を構成する線条１７の本数を多くすることは、歯の広範囲を同時に磨くのに有利である。かかる観点から、歯磨き部１６は、１０本以上の線条１７からなることが好ましく、３０本以上の線条１７からなることがより好ましい。
【００３３】
歯磨き部１６を構成する、紙軸４０の他端部４４は、複数箇所が切断されることにより複数の線条１７に分岐している。これにより、１箇所のみが切断される場合に比して、より多くの線条１７からなる歯磨き部１６を得ることができる。
【００３４】
歯磨き部１６に口腔用の薬剤が含浸又は付着している場合、薬剤を別途用意しなくても、歯磨き部１６に薬剤が含浸等した状態で歯を磨くことができる。
【００３５】
線条１７の長さは、線条１５の長さよりも小さい。このように線条１５の長さと線条１７の長さとを異ならせることにより、用途に応じて歯磨き部１４と歯磨き部１６とを使い分けることができるため、歯磨き具１０の利便性が一層向上する。例えば、比較的長い線条１５からなる歯磨き部１４は、歯間や歯周ポケット等の隙間への入り込みやすさの点で有利なため、当該隙間を清掃するのに適している。かかる観点から、線条１５の長さは、８ｍｍ以上１２ｍｍ以下であることが好ましい。他方、比較的短い線条１７からなる歯磨き部１６は、強度の点で有利なため、歯の表面を強く磨くのに適している。かかる観点から、線条１７の長さは、３ｍｍ以上５ｍｍ以下であることが好ましい。
【００３６】
複数の線条１５の本数と複数の線条１７の本数とが互いに異なる場合、用途に応じて歯磨き部１４と歯磨き部１６とを使い分けることができるため、歯磨き具１０の利便性が一層向上する。例えば線条１５の本数が線条１７の本数よりも多い場合、各線条１５の太さは、各線条１７の太さよりも小さくなる。比較的細い線条１５からなる歯磨き部１４は、歯間や歯周ポケット等の隙間への入り込みやすさの点で有利なため、当該隙間を清掃するのに適している。他方、比較的太い線条１７からなる歯磨き部１６は、強度の点で有利なため、歯の表面を強く磨くのに適している。
【００３７】
複数の袋体２０のうち隣接する２つの袋体２０の境界には、切取線２２が設けられている。これにより、取出口３２の外に出た袋体２０を隣接する袋体２０から容易に切り離すことができる。
【００３８】
複数の袋体２０のうち隣接する２つの袋体２０は、当該袋体２０の長辺どうしが接続されている。このため、複数の袋体２０は、その左右方向に沿って連設されている。この場合、複数の袋体２０を、その上下方向に平行な軸の周りに渦を巻くように丸めた状態（図３参照）で箱体３０内に収めることができる。これにより、多数の歯磨き具１０を高密度で箱体３０に収容しやすくなる。
【００３９】
取出口３２は、１本の歯磨き具１０を通過させる一方で、２本以上の歯磨き具１０を同時に通過させない。これにより、不必要に２本以上の歯磨き具１０が取出口３２の外に出てしまう事態を回避することができる。
【００４０】
取出口３２の幅は、各歯磨き具１０の柄部１２の太さよりも小さい。この場合、一旦取出口３２の外に出た歯磨き具１０を箱体３０の中に戻すには、力を加えて当該歯磨き具１０を箱体３０内に押し込む必要がある。それゆえ、一旦取出口３２の外に出た歯磨き具１０が意図せず箱体３０の中に戻ってしまう事態が起こりにくくなる。
【００４１】
取出口３２は、一直線状をしている。この場合、箱体３０に取出口３２を容易に形成することができる。また、箱体３０の中に埃等が侵入しにくくなるという利点もある。
【００４２】
取出口３２に沿って箱体３０に予め切目が入っている場合、使用開始時にユーザにおいて切目を入れる作業を行う必要がない。このため、ユーザの負担を軽くすることができる。
【００４３】
取出口３２に沿って箱体３０にミシン目が形成されている場合、使用開始前、取出口３２が閉じているため、箱体３０の中に埃等が侵入するのを防ぐことができる。
【００４４】
本発明は、上記実施形態に限定されるものではなく、様々な変形が可能である。上記実施形態において各袋体２０には、図７に示すように、柄部１２を包む空間Ｓ１とは別に、歯磨き部１４を包む空間Ｓ２、及び歯磨き部１６を包む空間Ｓ３が設けられていてもよい。同図において袋体２０は、外袋２４及び内袋２６，２８からなる二重構造をしている。内袋２６，２８は、外袋２４の中に設けられている。内袋２６の内部空間が空間Ｓ２を構成するとともに、内袋２８の内部空間が空間Ｓ３を構成している。また、外袋２４の内部空間のうち内袋２６，２８の内部空間（空間Ｓ２，Ｓ３）を除く部分が、空間Ｓ１を構成している。
【００４５】
各歯磨き部１４，１６には、口腔用の薬剤が含浸又は付着している。薬剤は、空間Ｓ２，Ｓ３内に存在する一方で、空間Ｓ１内には存在しない。なお、各内袋２６，２８には柄部１２を貫通させる穴が形成されているが、薬剤が空間Ｓ２，Ｓ３の外に漏れないように、当該穴は柄部１２に密着している。かかる構成によれば、保管中に、柄部１２に薬剤が付着するのを防ぐことができる。
【００４６】
上記実施形態においては、柄部１２の他端側に歯磨き部１６が設けられている場合を例示した。しかし、歯磨き部１６を設けることは、必須でない。歯磨き部１６を設けない場合、紙軸４０の他端部４４は、歯間に挿入可能であってもよい。その場合、図８に示すように、紙軸４０の他端部４４は、先細りの形状をしていることが好ましい。また、紙軸４０の他端部４４は、粗面化されていることが好ましい。他端部４４の粗面化は、例えば、表面に複数の切込を形成することにより実現することができる。すなわち、他端部４４の表面に切込を形成して毛羽立たせることにより、粗面化することができる。
【００４７】
このように他端部４４を歯間に挿入することにより、歯間を清掃することができる。特に他端部４４は紙製であるため、歯や歯肉を傷つけることなく歯間の清掃を行うことができる。他端部４４を先細りの形状にすることにより、他端部４４を歯間に挿入しやすくなる。また、他端部４４を粗面化することにより、歯間の歯垢や食べ滓を掻き出しやすくなるため、歯間の清掃効果を高めることができる。
【００４８】
上記実施形態において箱体３０には、図９及び図１０に示すように、刃３４が設けられていてもよい。図１０は、図９の箱体３０をその高さ方向から見た図である。刃３４は、取出口３２の外に出た歯磨き具１０が包装された袋体２０を、当該袋体２０に隣接する袋体２０から切り離すためのものである。刃３４は、箱体３０の高さ方向に延在している。すなわち、刃３４は、取出口３２の延在方向と平行に延在している。また、刃３４の長さは、取出口３２の長さに略等しい。刃３４は、取出口３２から離れた位置に設けられている。
【００４９】
詳細には、箱体３０においては、取出口３２が形成された面３０ａに隣接する面３０ｂが、面３０ａの一部に重なるように延出している。この延出した部分３０ｃは、取出口３２を覆っている。刃３４は、部分３０ｃの先端に設けられている。刃３４の材料としては、例えば、紙、プラスチック又は金属を用いることができる。刃３４の材料が紙である場合、例えば部分３０ｃの先端をギザギザに加工することにより刃３４を形成することができる。
【００５０】
このように刃３４を設けることにより、切取線２２が設けられている場合は勿論、切取線２２が設けられていない場合であっても、隣接する２つの袋体２０を容易に切り離すことができる。また、刃３４は、取出口３２の延在方向と平行に延在している。それゆえ、刃３４は、取出口３２から引き出された袋体２０とそれに隣接する袋体２０との境界に沿って延在することになる。かかる構成は、隣接する２つの袋体２０をそれらの境界で切り離すのに有利である。さらに、刃３４は、取出口３２から離れた位置に設けられている。この場合、刃３４を用いて隣接する２つの袋体２０を切り離すには、１つの袋体２０の全体を取出口３２の外に出すとともに、もう１つの袋体２０（次の袋体２０）の少なくとも一部も取出口３２の外に出す必要がある。このように次の袋体２０の少なくとも一部を取出口３２の外に出しておくことにより、次の袋体２０を摘んで引っ張りやすくなる。
【００５１】
上記実施形態においては、歯磨き具１０を取出口３２の外に引き出した後に、隣接する２つの袋体２０の切離しを手動で行う場合を例示した。しかし、かかる切離しは、歯磨き具１０を取出口３２の外に引き出す際に自動で行われてもよい。例えば、歯磨き具１０を取出口３２の外に引き出す際に袋体２０に加わる張力により、隣接する２つの袋体２０が切り離されるように構成することが考えられる。  
【符号の説明】
【００５２】
１  歯磨き具収容体
１０  歯磨き具
１２  柄部
１４  歯磨き部（第１の歯磨き部）
１５  線条（第１の線条）
１６  歯磨き部（第２の歯磨き部）
１７  線条（第２の線条）
２０  袋体
２２  切取線
２４  外袋
２６  内袋
２８  内袋
３０  箱体
３２  取出口
３４  刃
４０  紙軸
４２  一端部
４４  他端部
【図１】
2018034901.tif 000003
【図２】
2018034901.tif 000004
【図３】
2018034901.tif 000005
【図４】
2018034901.tif 000006
【図５】
2018034901.tif 000007
【図６】
2018034901.tif 000008
【図７】
2018034901.tif 000009
【図８】
2018034901.tif 000010
【図９】
2018034901.tif 000011
【図１０】
2018034901.tif 000012